(57)【要約】【課題】従来のドリップバッグは被充填物であるレギュラーコーヒー等がフィルターからこぼれてしまうおそれがあり、また、上面開口からレギュラーコーヒーが露出しているため熱が逃げやすく、香味成分を十分に抽出できないおそれがあった。【解決手段】ドリップバッグ１はカバー１１を有しているので、レギュラーコーヒーＨがフィルター３からこぼれることない。また、ドリップバッグ１はカバー１５を有しているので、湯の熱が逃げ難くレギュラーコーヒーＨは湯を含み、その熱が十分に行き渡る状態、即ち蒸らされた状態となる。従って、レギュラーコーヒーＨの香味成分を十分に抽出でき、非常に美味しいコーヒーを得ることが可能となる【選択図】        図３
2006320597.tif 000002
【特許請求の範囲】
【請求項１】
被抽出物が充填された袋状のフィルターを有し、前記フィルターの開口から湯を注ぎ入れフィルターから抽出成分を含む湯を滲出させて被抽出物の抽出を行うドリップバッグにおいて、前記フィルターの開口とフィルター内の被抽出物との間を仕切る透水性材料によって構成されたカバーを備えたことを特徴とするドリップバッグ。
【請求項２】
請求項１に記載したドリップバッグにおいて、カバーは袋状のフィルターの内部へ折り込まれた状態で備えられていることを特徴とするドリップバッグ。
【請求項３】
請求項１またはた２に記載したドリップバッグにおいて、カバーはフィルターの開口の縁に連結されていることを特徴とするドリップバッグ。
【請求項４】
請求項１から３のいずれかに記載したドリップバッグにおいて、フィルターをカップの縁に係止またはカップの縁上に載置するためのホルダを具備することを特徴とするドリップバッグ。
【請求項５】
請求項１から４のいずれかのドリップバッグを製造するためのドリップバッグ製造装置であって、ドリップバッグを構成するシートをガイドするガイド手段と、前記ガイド手段によってガイドされるシートを送るシート送り手段と、前記シートをシールして袋状とするシール手段と、ドリップバッグの内部へ被充填物を充填する充填手段を有するドリップバッグ製造装置において、ドリップバッグのカバーを構成するカバーシートを互いに対向するフィルターシートの間へ折り込む折り込み手段を具備することを特徴とするドリップバッグ製造装置。
【発明の詳細な説明】
【技術分野】
【０００１】
本発明はレギュラーコーヒー等の被抽出物の抽出に用いるドリップバッグに係り、特に被抽出物の香味成分を十分に抽出できるドリップバッグに関するものである。
【背景技術】
【０００２】
特許文献１に記載されたドリップバッグは、被抽出物としてのレギュラーコーヒーが袋状のフィルターに充填されている。このドリップバッグ内のレギュラーコーヒーの抽出を行う場合には、上部をミシン目に沿って破り取り、フィルターの上端に開口を形成する。そして、ホルダの係止部を起こして、係止部をカップの縁に掛けて、フィルターをカップに支持された状態とする。次いで、前記フィルターの上面開口へ湯を注ぎ入れてレギュラーコーヒーの抽出を行い、抽出成分を含む湯がフィルターから滲出してカップに貯留される。
【０００３】
【特許文献１】特開２００４−２４２８４７号公報
【発明の開示】
【発明が解決しようとする課題】
【０００４】
上記従来のドリップバッグでは、フィルターの上部をいちいち破り取る必要があり面倒である。また、フィルターの上部を破り取る際やフィルターを転倒させてしまった場合にはレギュラーコーヒーがフィルターからこぼれてしまうおそれもある。
また、レギュラーコーヒーは湯の熱が十分に行き渡る状態、即ち蒸らした状態とした方が香味成分を十分に抽出できるが、上記従来のフィルターでは上面開口からレギュラーコーヒーが露出しているため熱が逃げやすく、香味成分を十分に抽出できないおそれがあった。
本発明は上記従来の問題点に着目してなされたものであり、フィルターからレギュラーコーヒー等の被抽出物がこぼれてしまうおそれがなく、且つ被抽出物を確実に蒸らすことができて香味成分を十分に抽出できるドリップバッグを提供することを目的とする。
【課題を解決するための手段】
【０００５】
本発明は上記課題を解決するためになされたものであり、請求項１の発明は、被抽出物が充填された袋状のフィルターを有し、前記フィルターの開口から湯を注ぎ入れフィルターから抽出成分を含む湯を滲出させて被抽出物の抽出を行うドリップバッグにおいて、前記フィルターの開口とフィルター内の被抽出物との間を仕切る透水性材料によって構成されたカバーを備えたことを特徴とするドリップバッグである。
【０００６】
請求項２の発明は、請求項１に記載したドリップバッグにおいて、カバーは袋状のフィルターの内部へ折り込まれた状態で備えられていることを特徴とするドリップバッグである。
【０００７】
請求項３の発明は、請求項１またはた２に記載したドリップバッグにおいて、カバーはフィルターの開口の縁に連結されていることを特徴とするドリップバッグである。
【０００８】
請求項４の発明は、請求項１から３のいずれかに記載したドリップバッグにおいて、フィルターをカップの縁に係止またはカップの縁上に載置するためのホルダを具備することを特徴とするドリップバッグである。
【０００９】
請求項５の発明は、請求項１から４のいずれかのドリップバッグを製造するためのドリップバッグ製造装置であって、ドリップバッグを構成するシートをガイドするガイド手段と、前記ガイド手段によってガイドされるシートを送るシート送り手段と、前記シートをシールして袋状とするシール手段と、ドリップバッグの内部へ被充填物を充填する充填手段を有するドリップバッグ製造装置において、ドリップバッグのカバーを構成するカバーシートを互いに対向するフィルターシートの間へ折り込む折り込み手段を具備することを特徴とするドリップバッグ製造装置である。
【発明の効果】
【００１０】
本発明のドリップバッグによれば、フィルターからレギュラーコーヒー等の被抽出物がこぼれてしまうのを完全に防止することができる。
また、レギュラーコーヒー等の被抽出物を確実に蒸らすことができて香味成分を十分に抽出することが可能となる。
【発明を実施するための最良の形態】
【００１１】
本発明の実施の形態に係るドリップバッグ１を図面にしたがって説明する。
符号３はフィルターを示し、このフィルター３は透水性を有するヒートシール可能な例えばポリプロピレン（以下、ＰＰという。）繊維製不織布によって構成されている。フィルター３は左辺５、右辺７及び下辺９の三辺がヒートシールされた矩形袋状に形成され、上面に開口１１を有している。被抽出物としてのレギュラーコーヒーＨは、図２に示すようにフィルター３の内部１３に充填されており、この内部１３の一部に収容されている。
【００１２】
フィルター３の内部１３と開口１１との間にはカバー１５が備えられており、このカバー１５によってレギュラーコーヒーＨと開口１１との間が仕切られている。カバー１５は透水性を有するヒートシール可能な材料、例えばフィルター３を構成するポリプロピレン製不織布よりも薄手のＰＰ製不織布よって構成されている。カバー１５は開口１１の縁に連結されており、従って内部１３のレギュラーコーヒーＨはカバー１１によって覆われ露出しない状態となっている。またカバー１１は内部１３へ折り込まれて、下方へ垂下する状態となっている。
フィルター３の前後の面には厚紙製のホルダ１７が固定されており、ホルダ１７には一対の係止部１９が形成されている。
【００１３】
次に、このドリップバッグ１の使用方法について説明する。
一対のホルダ１７の上部を持ち前後方向へ引っ張り、開口１１を開く。上記したようにドリップバッグ１はカバー１１を有しているので、レギュラーコーヒーＨがフィルター３からこぼれることはない。また、従来のドリップバッグとは異なり、フィルターの上部をいちいち破り取る面倒な作業を行う必要はない。
【００１４】
上記のように開口１１を開いた後、ホルダ１７の係止部１９をカップＣの縁に掛けてフィルター３を係止し、そのほぼ下半分がカップＣへ入り込む状態にして、開口１１へ湯を注ぎ入れる。前述のようにカバー１１はフィルター３よりも薄手に製造されているので、開口１１へ注がれた湯はカバー１５を速やかに通過してフィルター３内へ入る。またフィルター３はカバー１５よりも厚手に製造されているので、湯がフィルター３内にある程度の時間滞留することになる。ドリップバッグ１はカバー１５がレギュラーコーヒーＨを覆っているので、湯の熱が逃げ難くレギュラーコーヒーＨが湯を含み、その熱が十分に行き渡る状態、即ち蒸らされた状態となる。
そして、レギュラーコーヒーＨの抽出が行われて、抽出成分を含む湯がフィルター３から滲出してカップに貯留される。上記のようにレギュラーコーヒーＨが十分に蒸らされた状態となるので、レギュラーコーヒーＨの香味成分を十分に抽出することができ、非常に美味しいコーヒーを得ることが可能となる。
【００１５】
図４にドリップバッグ１の構成材料であるシート２０を示し、このシート２０は中央部のカバーシート部１５ａと、このカバーシート部１５ａの両側に連結されたフィルターシート部３ａ、３ｂとによって構成されている。また、フィルターシート部３ａ、３ｂにはホルダ１７が固定されている。
【００１６】
図５、図６によって、ドリップバッグ１を製造すると共にこのドリップバッグ１にレギュラーコーヒーＨを充填するためのドリップバッグ製造装置に備えられるシュート２１を説明する。シュート２１はステンレススチールによって構成されている。
符号２３はガイド手段としてのガイド部を示し、このガイド部２３は平板を左右方向の両端部が近づく方向へ曲げて前方側へ湾曲させた形状に形成されている。従って、ガイド部２３の前面側には滑らかに湾曲するガイド面２４が形成され、背面側にはガイド部２３によって前方と左右方向が覆われる背面側空間２８が形成される。ガイド部２３の湾曲の度合いは下方へいくに従って大きくなっており、このためガイド部２３は下方へいくに従って背面側空間２８が窄まると共にガイド面２４が前方側へ大きく突出する形状となっている。
【００１７】
また、ガイド面２４の左右の両端部には保持プレート３０、３２が設けられている。保持プレート３０、３２はガイド面２４に沿って配置されており、保持プレート３０、３２とガイド面２４の左右の両端部分との間には僅かな隙間が形成されている。
ガイド部２３の下端部には管状部２５が接続されており、この管状部２５の上部は背面側空間２８に突出している。管状部２５の上部は拡径しており、管状部２５の上面開口２６は背面側空間２８の開放された側、即ち後方側へ向かって僅かに傾斜している。
【００１８】
管状部２５の両側面には上下方向へ延びるガイドプレート２７、２９が固定され、ガイドプレート２７とガイドプレート２９は間隔をおいて配置されている。従って、ガイドプレート２７とガイドプレート２９との間には上下方向へ長い折り込み空間部３１が形成されている。
ガイド部２３の背面側の左右端部には一対の取り付けプレート３３が固定されている。
【００１９】
図７に示すように、シュート２１はティーバッグ製造装置の装置本体３５に取り付けプレート３３を介して取り付けられている。このティーバッグ製造装置は、本出願の出願人である不双産業株式会社の特許出願である（特願２００２−２８８２６１  特開２００４−１２３１５０）に記載されたティーバッグ製造装置と同様の構成を有している。即ち、装置本体３５にはシート２０がロール状に巻き付けられた繰り出しホイール、この繰り出しホイールから引き出されたシート２０をガイドするガイドローラ、レギュラーコーヒーＨが投入されるホッパ等を有している。
【００２０】
ホッパには投入シュート３７が接続され、この投入シュート３７はシュート２１の管状部２５の上面開口２６へ入り込んでいる。
シュート２１の管状部２５、投入シュート３７及び図示しないレギュラーコーヒーＨの計量装置によって被充填物を充填する充填手段が構成されている。
また装置本体３５には送り手段としての上部対向ローラ３９が２つを一組として上下に二組配置されている。一組を構成する上部対向ローラ３９は互いに外周面どうしを接触させて備えられている。そして上下に配された二組の上部対向ローラ３９の間には超音波シール装置４１が設けられ、超音波シール装置４１の下方の近傍には図示しないスリッターが備えられている。
【００２１】
符号４３は押し込みプレートを示し、この押し込みプレート４３は上部が装置本体３５に取り付けられ、その下端部はガイドプレート２７とガイドプレート２９との間の折り込み空間部３１へ入り込んでいる。
ガイドプレート２７、２９、折り込み空間部３１及び押し込みプレート４３によって折り込み手段が構成されている。
シュート２１の下方にはシールアンドカット装置４５が備えられている。
超音波シール装置４１、シールアンドカット装置４５によってシール手段が構成されている。
【００２２】
繰り出しホイールから引き出されたシート２０はシュート２１のガイド面２４に当接し、その両端部はガイド面２４と保持プレート３０、３２との挟持されてガイドされる。シート２０のフィルターシート部３ａ、３ｂはガイド面２４の左右の端部に当接し、カバーシート部１５ａはガイド面２４の中央部に当接してガイドされる。さらにカバーシート部１５ａはガイドプレート２７とガイドプレート２９との間の折り込み空間３１に対応する領域に位置する。
【００２３】
ティーバッグ製造装置によってレギュラーコーヒーＨが充填されたドリップバッグ１が製造される動作を説明する。
ティーバッグ製造装置が作動すると、シート２０を挟んだ上部対向ローラ３９が回転し、シート２０を図７において下方へ間欠的に走行させる。そして、超音波シール装置４１によってドリップバッグ１の下辺９（図７では右側の端部となっている。）がシールされ、スリッターによって端部４７がカットされて除去される。
また、シート２０のカバーシート部１５ａは押し込みプレート４３に摺接することでガイドされ、折り込み空間３１へ押し込まれてフィルターシート部３ａ、３ｂが対向する内部１３へ折り込まれる。
【００２４】
下辺９がシールされ、且つカバーシート部１５ａが内部１３へ折り込まれたシート２０は更に下方へ走行し、一旦停止してシールアンドカット装置４５によって左辺５（図７では下側の端部となっている。）がシールされる。そして、計量装置によって所定量となるように計量されたレギュラーコーヒーＨが投入シュート３７及び管状部２５を通って内部１３へ充填される。次いで、シート２０は所定距離走行し停止して、シールアンドカット装置４５によって右辺７がシールされて袋状のフィルター３が形成される共に、右辺７の直ぐ上の部分がカットされてシート２０から切り離されてドリップバッグ１が形成されて落下する。落下したドリップバッグ１は図示しない排出シュートを通り装置外へ排出される。
【００２５】
以上、本発明の実施の形態について詳述してきたが、具体的構成は、この実施の形態に限られるものではなく、本発明の要旨を逸脱しない範囲における設計の変更などがあっても発明に含まれる。
例えば、フィルター３を構成する材料は上記したＰＰの他、紙（パルプ）、ＰＥＴ、ＰＰとＰＥＴとを貼り合わせたもの、ナイロンのメッシュシート、ポリエステルのメッシュシート、生分解性のプラスチック等、種々のものを使用することができる。
また、カバー１５もフィルター３と同じ材料を使用することが可能であるが、カバー１５はフィルター３よりも透水性を高くするために、厚さを薄くしたり、貼り合わせをしたりしない単層で使用する。
押し込みプレート４３の代わりに円盤状の部材を１個または複数設けるようにしてもよい。
また、ホルダは上記したカップの縁に係止するタイプのもの他、カップの縁上に載置するタイプのものであってもよい。
なお、被抽出物としてはレギュラーコーヒーの他、紅茶、緑茶等であってもよいのは勿論である。
【図面の簡単な説明】
【００２６】
【図１】本発明の実施例に係るドリップバッグの斜視図である。
【図２】図１のＡ−Ａ断面図である。
【図３】図１のドリップバッグをカップに装着した状態の斜視図である。
【図４】図１のドリップバッグを構成する材料シートの平面図である。
【図５】図１のドリップバッグの製造方法を説明するための斜視図である。
【図６】図５のＢ−Ｂ断面図である。
【図７】図１のドリップバッグを製造するティーバッグ製造装置の一部を示す図である。
【符号の説明】
【００２７】
１  ドリップバッグ      ３フィルター
３ａ、３ｂ  フィルターシート部      ５  右辺
７  左辺      ９下辺        １１開口
１３  内部      １５  カバー      １７  ホルダ
１９  係止部      Ｃ  カップ      Ｈ  レギュラーコーヒー
２０  シート      
１５ａ  カバーシート部      ２１  シュート
２３  ガイド部      ２５  管状部
２４  ガイド面      ２６  管状部の上面開口
２７、２９  ガイドプレート      ２８  背面空間
３１  折り込み空間      ３０、３２  保持プレート
３３  取り付けプレート      ３５  ティーバッグ製造装置の装置本体
３７  投入シュート      ３９  上部対向ローラ
４１  超音波シール装置      ４３  押し込みプレート
４５  シールアンドカット装置
【図１】
2006320597.tif 000003
【図２】
2006320597.tif 000004
【図３】
2006320597.tif 000005
【図４】
2006320597.tif 000006
【図５】
2006320597.tif 000007
【図６】
2006320597.tif 000008
【図７】
2006320597.tif 000009